(57)【特許請求の範囲】
【請求項１】
収納位置から噴射位置まで、上下方向に延びる軸回りに回転し、犯罪者の逃走を防止するための薬剤を噴射する噴射部材と、
前記噴射部材に対し、前記噴射位置へ回転する方向へ力を加えるバネと、
前記噴射部材を前記収納位置に保持する保持部と、
前記薬剤が充填された容器と、
一端部が前記噴射部材に、他端部が前記容器に接続されたチューブと、
前記保持部が保持していた前記噴射部材を解放すると、前記容器に充填された前記薬剤を前記チューブを介して前記噴射部材まで送り出す送出部と、を備えた逃走防止装置。
【請求項２】
前記保持部は、進退する軸部を有するソレノイドであり、
進出した前記軸部が、前記噴射部材に形成された孔に挿入される請求項１記載の逃走防止装置。
【請求項３】
前記容器は、収縮可能な収縮容器であり、
前記送出部は、前記収縮容器の一端部の側に配置されたバネ受けと、
前記バネ受けを挟んで前記収縮容器とは反対の側に配置され、一端部が前記バネ受けに接触するコイルバネと、
一端部が前記バネ受けに連結され、他端部が前記軸部に連結され、該バネ受けを介して前記コイルバネを収縮させるワイヤと、
前記収縮容器、前記バネ受け、及び前記コイルバネが収容され、前記収縮容器を収縮方向に移動可能に案内する案内部と、
前記収縮方向に移動した前記収縮容器から前記薬剤を放出させる放出部と、を有する請求項２記載の逃走防止装置。
【請求項４】
前記容器は、エアゾール製品であり、
前記送出部は、前記噴射部材とともに回転し、前記エアゾール製品のアクチュエータを押し下げるカムである請求項２に記載の逃走防止装置。
【発明の詳細な説明】
【技術分野】
【０００１】
本発明は、例えば強盗が店舗から逃走することを防止するための逃走防止装置に関する。
【背景技術】
【０００２】
特許文献１には、屋内から逃走しようとしている強盗犯人に塗料を噴射して、この塗料を強盗犯人を追跡する際の手掛かりとするための防犯用塗料噴射装置が記載されている。この防犯用塗料噴射装置は、強盗が発生したことを示す強盗発生告知信号を出力する強盗発生告知手段と、人が出入り口を通過したときに、その人が、屋外側から出入り口を通過したのか、屋内側から出入り口を通過したのかを判別する方向判別手段と、強盗発生告知手段から強盗発生告知信号が出力されており、かつ、方向判別手段によって人が屋内側から出入り口を通過したことが判別されたときに塗料を噴射する塗料噴射手段とからなることを特徴としている。
【先行技術文献】
【特許文献】
【０００３】
【特許文献１】特開２００１−９３０５５号公報
【発明の概要】
【発明が解決しようとする課題】
【０００４】
ここで、単に塗料を噴射するだけでは、犯人の逃走を許してしまう可能性が高い。
本発明は、犯人の逃走を防止するための逃走防止装置を提供することを目的とする。
【課題を解決するための手段】
【０００５】
前記目的に沿う本発明に係る逃走防止装置は、収納位置から噴射位置まで、上下方向に延びる軸回りに回転し、犯罪者の逃走を防止するための薬剤を噴射する噴射部材と、
前記噴射部材に対し、前記噴射位置へ回転する方向へ力を加えるバネと、
前記噴射部材を前記収納位置に保持する保持部と、
前記薬剤が充填された容器と、
一端部が前記噴射部材に、他端部が前記容器に接続されたチューブと、
前記保持部が保持していた前記噴射部材を解放すると、前記容器に充填された前記薬剤を前記チューブを介して前記噴射部材まで送り出す送出部と、を備える。
【０００６】
本発明に係る逃走防止装置において、前記保持部は、進退する軸部を有するソレノイドであり、
進出した前記軸部が、前記噴射部材に形成された孔に挿入されていてもよい。
【０００７】
本発明に係る逃走防止装置において、前記容器は、収縮可能な収縮容器であり、
前記送出部は、前記収縮容器の一端部の側に配置されたバネ受けと、
前記バネ受けを挟んで前記収縮容器とは反対の側に配置され、一端部が前記バネ受けに接触するコイルバネと、
一端部が前記バネ受けに連結され、他端部が前記軸部に連結され、該バネ受けを介して前記コイルバネを収縮させるワイヤと、
前記収縮容器、前記バネ受け、及び前記コイルバネが収容され、前記収縮容器を収縮方向に移動可能に案内する案内部と、を有していてもよい。
【０００８】
本発明に係る逃走防止装置において、前記容器は、エアゾール製品であり、
前記送出部は、前記噴射部材とともに回転し、前記エアゾール製品のアクチュエータを押し下げるカムであってもよい。
【発明の効果】
【０００９】
本発明によれば、犯人の逃走を防止するための逃走防止装置を提供できる。
【図面の簡単な説明】
【００１０】
【図１】本発明の第１の実施の形態に係る逃走防止装置の設置状態を示す説明図である。
【図２】同逃走防止装置の動作を示す平面図である。
【図３】同逃走防止装置が備える噴射部材が収納位置にある状態を示す平面図である。
【図４】同逃走防止装置が備える噴射部材の底面図である。
【図５】図３の矢視Ａであって、同逃走防止装置が備えるソレノイドの説明図である。
【図６】同逃走防止装置が備える噴射部材が噴射位置にある状態を示す平面図である。
【図７】本発明の第２の実施の形態に係る逃走防止装置の説明図であって、噴射部材が噴射位置にある状態を示す斜視図である。
【発明を実施するための形態】
【００１１】
続いて、添付した図面を参照しつつ、本発明を具体化した実施の形態につき説明し、本発明の理解に供する。なお、各図において、説明に関連しない部分は図示を省略する場合がある。
【００１２】
〔第１の実施の形態〕
本発明の第１の実施の形態に係る逃走防止装置１０は、例えば、催涙作用を有する薬剤を噴射することによって、強盗等の犯人である犯罪者の逃走を防止できる。逃走防止装置１０は、図１に示すように、例えばコンビニエンスストアや銀行等の建物１２の入り口１４の外側上部に設置される。
逃走防止装置１０は、薬剤を噴射する左側噴射部１０Ｌ及び右側噴射部１０Ｒを備え、図２の矢印に示すように、左側噴射部１０Ｌ及び右側噴射部１０Ｒがそれぞれ建物１２を正面に見て左側及び右側に展開する。図１に示すように、左側噴射部１０Ｌは右側噴射部１０Ｒの上側に配置されている。
左側噴射部１０Ｌと右側噴射部１０Ｒとは、逃走防止装置１０の中心線ＣＬ（図２参照）に関して実質的に左右対称に構成される。従って、以下、右側噴射部１０Ｒについてのみ説明し、左側噴射部１０Ｌについての説明は省略する。
【００１３】
右側噴射部１０Ｒは、図３に示すように、噴射部材２０、ねじりコイルバネ（キックバネ）２２、ソレノイド２４、収縮容器２６、チューブ２８、及び送出部を有している。
噴射部材２０は、中空のパイプである。噴射部材２０は、薬剤を噴射することができる。噴射部材２０は、図３及び図６に示す上下方向に延びる軸Ｓ１に回転可能に支持され、図２に示すように、収納状態にある収納位置から薬剤を噴射する噴射位置まで、軸Ｓ１回りに回転する。
噴射部材２０の下側、左側（内側）、及び右側（外側）には、図４に示すように、それぞれ孔ＨＤ、孔ＨＬ、及び孔ＨＲが、長手方向に沿って複数形成されている。また、孔ＨＤの先端部の下側には、保持孔ＨＫが形成されている。
【００１４】
ねじりコイルバネ（バネの一例）２２は、図３に示すように、一端部が噴射部材２０の基端部に、他端部が図示しないフレームに取り付けられている。ねじりコイルバネ２２の中心部には、軸Ｓ１が通っている。従って、ねじりコイルバネ２２は、噴射部材２０に対し、収納位置から噴射位置まで回転する方向へ力を加えることができる。
【００１５】
ソレノイド（保持部の一例）２４は、ねじりコイルバネ２２による力に抗して噴射部材２０を収納位置に保持できる。ソレノイド２４は、図５に示すように、上下方向に進退する軸部２４２を有し、図示しないフレームに固定されている。噴射部材２０は、図５に示すように、この軸部２４２が噴射部材２０に形成された保持孔ＨＫに下方から挿入されることによって、ねじりコイルバネ２２により加えられる力に抗して保持される。
【００１６】
なお、ソレノイド２４は、図３に示すように、無線受信機ＲＣＶに接続されている。無線受信機ＲＣＶは、電源装置ＰＷＲに接続されており、無線受信機ＲＣＶが所定の無線信号を受信すると電源装置ＰＷＲから電源が供給され、ソレノイド２４が動作（軸部２４２が後退）する。
電源装置ＰＷＲは、バッテリーでもよいし、商用電源（ＡＣ電源）でもよい。
【００１７】
収縮容器（容器の一例）２６は、例えば薄手の樹脂で形成された、側面が蛇腹状の容器であり、長手方向に収縮できる。収縮容器２６の内部には、薬剤が充填されている。薬剤は、犯人の逃走を防止できるものであれば液体であっても気体であってもよい。ただし、薬剤が液体である場合には、頭部に噴射された薬剤が流れて犯人の目に入り、犯人の逃走意欲を喪失させることが期待できる。また、液体は、気体よりも風に流されにくい。従って、薬剤は液体であることが好ましい。
【００１８】
チューブ２８は、柔軟性を有し、噴射部材２０の動きに倣って変形できる。チューブ２８の一端部は、噴射部材２０の基端部に接続されている。
【００１９】
送出部は、ソレノイド２４が保持していた噴射部材２０を解放すると、収縮容器２６を収縮させ、薬剤をチューブ２８を介して噴射部材２０まで送り出すことができる。
具体的には、送出部は、案内部５０、バネ受け５２、圧縮コイルバネ５４、ワイヤ５６、及び突起５８を有している。
【００２０】
案内部５０は、筒状であり、その内部に、収縮容器２６、バネ受け５２、及び圧縮コイルバネ５４を収容している。案内部５０は、収縮容器２６の全体及びバネ受け５２を収縮容器２６の収縮方向（図３に示す矢印の方向）に案内できる。
案内部５０の先端部には、チューブ２８の他端部が接続されている。
【００２１】
バネ受け５２は、収縮容器２６の一端部の側に配置されている。バネ受け５２は、収縮容器２６の一端部を押すことができる。
【００２２】
圧縮コイルバネ５４は、バネ受け５２を挟んで収縮容器２６とは反対の側に配置されている。圧縮コイルバネ５４の一端部は、バネ受け５２に接触している。
【００２３】
ワイヤ５６は、バネ受け５２を介して圧縮コイルバネ５４を収縮させることができる。圧縮コイルバネ５４が収縮した状態（右側噴射部１０Ｒが収納位置にある状態）においては、ワイヤ５６は、一端部がバネ受け５２に連結され、他端部がソレノイド２４の軸部２４２に連結されている。詳細には、ワイヤ５６の他端部は、図５に示すように軸部２４２が内部を通るリングＲＮＧに連結されている。ワイヤ５６は、ワイヤ５６を案内するガイド５７によって、向きを変えて張り渡されている。
【００２４】
突起（放出部の一例）５８は、先端が鋭利になっており、収縮容器２６の端部を破って内部の薬剤を放出できる。突起５８は、チューブ２８の他端側に配置されている。
【００２５】
次に、逃走防止装置１０の動作について説明する。逃走防止装置１０は、以下のステップに従って動作する。
【００２６】
（ステップＳ１）
例えば強盗事件が発生し、強盗が店舗から逃走を図った場合に、店員は、図示しない所定のスイッチを押す。スイッチが押されると、図示しない無線送信機から信号が送信され、無線受信機ＲＣＶ（図３参照）がこの信号を受信する。無線受信機ＲＣＶが信号を受信すると、電源装置ＰＷＲから電源が供給され、噴射部材２０の保持孔ＨＫに挿入されていたソレノイド２４の軸部２４２が、図５に示す位置Ｈ１から位置Ｈ２まで後退する。
【００２７】
（ステップＳ２）
噴射部材２０は、前述の通り、ねじりコイルバネ２２によって収納位置から噴射位置へ回転する方向へ力が加えられている。従って、ソレノイド２４の軸部２４２が保持孔ＨＫから後退することによって、軸部２４２に保持されていた噴射部材２０が解放され、軸Ｓ１の回りに回転し、図６に示す噴射位置に展開する。
一方で、ソレノイド２４の軸部２４２が後退することによって、軸部２４２からリングＲＮＧが抜け、ワイヤ５６の他端部が解放されることによって、収縮していた圧縮コイルバネ５４が伸びる。
【００２８】
（ステップＳ３）
圧縮コイルバネ５４は、バネ受け５２を介して収縮容器２６の全体を長手方向（図３に示す矢印の方向）に押す。押された収縮容器２６は、案内部５０に案内され、内部を長手方向に移動し、先端が突起５８に接触する。
【００２９】
（ステップＳ４）
先端が突起５８に接触することにより、収縮容器２６が破れ、内部の薬剤が放出される。収縮容器２６は、更にバネ受け５２によって押されると、収縮して更に内部の薬剤が放出される。
【００３０】
（ステップＳ５）
放出された薬剤は、チューブ２８を通って、噴射部材２０の内部に流れ、各孔ＨＤ、ＨＬ、ＨＲから噴出する。
【００３１】
（ステップＳ６）
噴出した薬剤が強盗に付着することにより、逃走が防止される。
【００３２】
このように、逃走防止装置１０は、噴射部材２０が展開されるため、広い範囲に亘って逃走防止用の薬剤が噴射される。
従って、薬剤が犯人に付着する可能性が高まるので、犯人の逃走を許してしまう可能性が低減される。
【００３３】
〔第２の実施の形態〕
続いて、本発明の第２の実施の形態に係る逃走防止装置について説明する。第１の実施の形態に係る逃走防止装置１０と同一の構成要素については、同じ符号を付して詳しい説明を省略する。
逃走防止装置は、第１の実施の形態に係る逃走防止装置１０と同様に、左側噴射部及び図７に示す右側噴射部１０Ｒａがそれぞれ建物１２を正面に見て左側及び右側に展開する。
左側噴射部と右側噴射部１０Ｒａとは、逃走防止装置の中心線に関して実質的に左右対称に構成される。従って、以下、右側噴射部１０Ｒａついてのみ説明し、左側噴射部についての説明は省略する。
【００３４】
右側噴射部１０Ｒａは、噴射部材７０、ねじりコイルバネ（キックバネ）２２、ソレノイド２４（図５参照）、エアゾール製品（スプレー缶）７６、チューブ７８、及び送出部を有している。これら各構成部品は、収納状態においては、ケースＣに収められている。
【００３５】
噴射部材７０は、中空のパイプであり、薬剤を噴射することができる。図７に示すように、噴射部材７０は、ケースＣに両端部が回転可能に支持された、上下方向が長手方向となる軸Ｓ２に固定されている。噴射部材７０は、収納状態にある収納位置から薬剤を噴射する噴射位置まで、軸Ｓ２とともに上下方向に延びる軸（軸Ｓ２の回転中心軸）Ｊ２回りに回転できる。
噴射部材７０の下側には、長手方向に沿って複数の孔ＨＤ２が形成されている。また、噴射部材７０の先端部の下側には、ソレノイド２４の軸部２４２（図５参照）が挿入される保持孔ＨＫ（図７においては不図示）が形成されている。
【００３６】
ねじりコイルバネ（バネの一例）２２は、一端部が噴射部材７０の基端部に、他端部が図示しないフレームに取り付けられている。ねじりコイルバネ２２の中心部には、軸Ｓ２が通っている。従って、ねじりコイルバネ２２は、噴射部材７０に対し、収納位置から噴射位置まで回転する方向へ力を加えることができる。
【００３７】
エアゾール製品（容器の一例）７６は、アクチュエータ７６１を有し、図示しないフレームに固定されている。エアゾール製品７６の内部には、薬剤が充填されている。従って、アクチュエータ７６１が押し下げられると、アクチュエータ７６１の噴射孔から、内部の薬剤が噴射される。
【００３８】
チューブ７８は、柔軟性を有し、噴射部材７０の動きに倣って変形できる。
チューブ７８の一端部は、噴射部材７０の基端部に接続され、噴射部材７０の内部まで延びている。チューブ７８は、噴射部材の内部にて分岐し、分岐したチューブが噴射部材７０に形成された各孔ＨＤ２に接続されている。なお、チューブ７８は、噴射部材７０の内部まで延びていなくてもよい。
チューブの他端部は、アクチュエータ７６１の噴射孔に接続されている。
【００３９】
送出部は、ソレノイド２４が保持していた噴射部材７０を解放すると、エアゾール製品７６のアクチュエータ７６１を押し下げて、薬剤をチューブ７８を介して噴射部材７０まで送り出すことができる。
具体的には、送出部は、軸Ｓ２に固定されたカム８０によって構成されている。カム８０のカムプロフィールは、噴射部材７０が噴射位置にある状態において、カム８０がエアゾール製品７６のアクチュエータ７６１に接触し、押し下げることができるように設定されている。
【００４０】
次に、逃走防止装置の動作について説明する。逃走防止装置は、以下のステップに従って動作する。
【００４１】
（ステップＳ１）
例えば強盗事件が発生し、強盗が店舗から逃走を図った場合に、店員は、図示しない所定のスイッチを押す。スイッチが押されると、図示しない無線送信機から信号が送信され、無線受信機ＲＣＶ（図３参照）がこの信号を受信する。無線受信機ＲＣＶが信号を受信すると、電源装置ＰＷＲから電源が供給され、噴射部材７０の保持孔ＨＫに挿入されていたソレノイド２４の軸部２４２が、図５に示す位置Ｈ１から位置Ｈ２まで後退する。
【００４２】
（ステップＳ２）
噴射部材７０は、前述の通り、ねじりコイルバネ２２によって収納位置から噴射位置まで回転する方向へ力が加えられている。従って、ソレノイド２４の軸部２４２が保持孔ＨＫから後退することによって、軸部２４２に保持されていた噴射部材７０が解放され、軸Ｓ２とともに回転し、図７に示す噴射位置に展開する。
一方で、軸Ｓ２に固定されたカム８０も軸Ｓ２とともに回転し、エアゾール製品７６のアクチュエータ７６１を押し下げる。その結果、エアゾール製品７６から薬剤が噴射されれる。
【００４３】
（ステップＳ３）
噴射された薬剤は、チューブ７８を通って、噴射部材７０に送り出され、噴射部材７０に形成された各孔ＨＤ２から噴射される。
【００４４】
（ステップＳ４）
噴射された薬剤が強盗に付着することにより、逃走が防止される。
【００４５】
このように、逃走防止装置は、噴射部材７０が展開されるため、広い範囲に亘って逃走防止用の薬剤が噴射される。
従って、薬剤が犯人に付着する可能性が高まるので、犯人の逃走を許してしまう可能性が低減される。
【００４６】
本発明は、前述の実施の形態に限定されるものではなく、本発明の要旨を変更しない範囲での変更は可能である。例えば、前述の実施の形態や変形例の一部又は全部を組み合わせて発明を構成する場合も本発明の技術的範囲に含まれる。
逃走防止装置は、左側噴射部及び右側噴射部の一方のみを備えていてもよい。左側噴射部は右側噴射部の下側に配置されていてもよい。
【００４７】
バネは、ねじりコイルバネに代えて、例えば、ばね鋼により形成された板バネであってもよい。なお、この板バネは、噴射部材が収納位置にある状態において、Ｕ字状に曲げられる。板バネは、噴射部材に対し、収納位置から噴射位置へ回転する方向へ力を加えることができるように配置される。
【００４８】
前述の実施の形態においては、店員が所定のスイッチを押すと逃走防止装置が動作した。これに代えて、例えば、建物内部に設置された監視カメラの映像に基づいて、遠隔地にある警備会社が逃走防止装置を動作させることも可能である。
【符号の説明】
【００４９】
１０：逃走防止装置、１０Ｌ：左側噴射部、１０Ｒ、１０Ｒａ：右側噴射部、１２：建物、１４：入り口、２０：噴射部材、２２：ねじりコイルバネ、２４：ソレノイド、２６：収縮容器、２８：チューブ、５０：案内部、５４：圧縮コイルバネ、５６：ワイヤ、５７：ガイド、５８：突起、７０：噴射部材、７６：エアゾール製品、７８：チューブ、８０：カム、２４２：軸部、７６１：アクチュエータ、ＰＷＲ：電源装置、ＨＤ、ＨＤ２：孔、ＨＫ：保持孔、ＨＬ：孔、ＨＲ：孔、ＲＣＶ：無線受信機、ＲＮＧ：リング、Ｓ１、Ｓ２：軸
【要約】
【課題】犯人の逃走を防止するための逃走防止装置を提供する。
【解決手段】逃走防止装置１０は、収納位置から噴射位置まで、上下方向に延びる軸回りに回転し、犯罪者の逃走を防止するための薬剤を噴射する噴射部材２０と、噴射部材２０に対し、噴射位置へ回転する方向へ力を加えるバネ２２と、噴射部材２０を収納位置に保持する保持部２４と、薬剤が充填された容器２６と、一端部が噴射部材に、他端部が前記容器２６に接続されたチューブ２８と、保持部２４が保持していた噴射部材２０を解放すると、容器２６に充填された薬剤をチューブ２８を介して噴射部材２０まで送り出す送出部と、を備える。
【選択図】図３【図１】
0005396562.tif 000002
【図２】
0005396562.tif 000003
【図３】
0005396562.tif 000004
【図４】
0005396562.tif 000005
【図５】
0005396562.tif 000006
【図６】
0005396562.tif 000007
【図７】
0005396562.tif 000008